(57)【特許請求の範囲】
【請求項１】
透明絶縁性基板上にゲート配線とソース配線をそれぞれ複数本交差させ、その各交点に設けられた薄膜トランジスタに接続された透明電極によって画像表示部を構成する画素部と、上記画素部に外部信号を入力する端子部とを有するＴＦＴアレイ基板、
透明電極およびカラーフィルタ等を有し、上記ＴＦＴアレイ基板との間に液晶を挟持する対向電極基板、
フィルム状半導体搭載装置に装着され、上記ＴＦＴアレイ基板の端子部に接続されるゲート配線用駆動ＩＣおよびソース配線用駆動ＩＣを備えた液晶表示装置であって、
上記ソース配線は、上記ゲート配線との交点でソース配線用引き込み配線に接続され、上記引き込み配線は、上記ゲート配線の上部に絶縁膜を介して上記ゲート配線と平行に重ねて配置されており、上記引き込み配線の終端部と接続されるソース配線用端子を、上記ゲート配線の終端部と接続されるゲート配線用端子と同一方向にそれぞれ交互に並置したことを特徴とする液晶表示装置。
【請求項２】
請求項１記載の液晶表示装置であって、上記ゲート配線用駆動ＩＣおよび上記ソース配線用駆動ＩＣを、上記フィルム状半導体搭載装置の両面に装着したことを特徴とする液晶表示装置。
【請求項３】
透明絶縁性基板上にゲート配線とソース配線をそれぞれ複数本交差させ、その各交点に設けられた薄膜トランジスタに接続された透明電極によって画像表示部を構成する画素部と、上記画素部に外部信号を入力する端子部とを有するＴＦＴアレイ基板、
透明電極およびカラーフィルタ等を有し、上記ＴＦＴアレイ基板との間に液晶を挟持する対向電極基板、
フィルム状半導体搭載装置に装着され、上記ＴＦＴアレイ基板の端子部に接続されるゲート配線用駆動ＩＣおよびソース配線用駆動ＩＣを備えた液晶表示装置であって、
上記ゲート配線は、上記ソース配線との交点でゲート配線用引き込み配線に接続され、上記引き込み配線は、上記ソース配線の下部に絶縁膜を介して上記ソース配線と平行に重ねて配置されており、上記引き込み配線の終端部と接続されるゲート配線用端子を、上記ソース配線の終端部と接続されるソース配線用端子と同一方向にそれぞれ交互に並置したことを特徴とする液晶表示装置。
【請求項４】
請求項３記載の液晶表示装置であって、上記ゲート配線用駆動ＩＣおよび上記ソース配線用駆動ＩＣを、上記フィルム状半導体搭載装置の両面に装着したことを特徴とする液晶表示装置。
【請求項５】
透明絶縁性基板上にゲート配線とソース配線をそれぞれ複数本交差させ、その各交点に設けられた薄膜トランジスタに接続された透明電極によって画像表示部を構成する画素部と、上記画素部に外部信号を入力する端子部とを有するＴＦＴアレイ基板、
透明電極およびカラーフィルタ等を有し、上記ＴＦＴアレイ基板との間に液晶を挟持する対向電極基板、
上記ＴＦＴアレイ基板の端子部に接続されるゲート配線用駆動ＩＣおよびソース配線用駆動ＩＣを備えた液晶表示装置であって、
上記ソース配線は、上記ゲート配線との交点でソース配線用引き込み配線に接続され、上記引き込み配線は、上記ゲート配線の上部に絶縁膜を介して上記ゲート配線と平行に重ねて配置されており、上記引き込み配線の終端部と接続されるソース配線用端子を、上記ゲート配線の終端部と接続されるゲート配線用端子と同一方向にそれぞれ交互に並置したことを特徴とする液晶表示装置。
【請求項６】
透明絶縁性基板上にゲート配線とソース配線をそれぞれ複数本交差させ、その各交点に設けられた薄膜トランジスタに接続された透明電極によって画像表示部を構成する画素部と、上記画素部に外部信号を入力する端子部とを有するＴＦＴアレイ基板、
透明電極およびカラーフィルタ等を有し、上記ＴＦＴアレイ基板との間に液晶を挟持する対向電極基板、
上記ＴＦＴアレイ基板の端子部に接続されるゲート配線用駆動ＩＣおよびソース配線用駆動ＩＣを備えた液晶表示装置であって、
上記ゲート配線は、上記ソース配線との交点でゲート配線用引き込み配線に接続され、上記引き込み配線は、上記ソース配線の下部に絶縁膜を介して上記ソース配線と平行に重ねて配置されており、上記引き込み配線の終端部と接続されるゲート配線用端子を、上記ソース配線の終端部と接続されるソース配線用端子と同一方向にそれぞれ交互に並置したことを特徴とする液晶表示装置。
【発明の詳細な説明】
【０００１】
【発明の属する技術分野】
この発明は、液晶表示装置、特にその信号入力端子の配置および周辺仕様に関するものである。
【０００２】
【従来の技術】
マルチメディア社会の到来によりノート型パーソナルコンピュータ等が普及し、それに搭載される半導体や液晶市場は高成長を続けている。中でも、薄型、軽量、低消費電力の利点を持つａ−Ｓｉ型薄膜トランジスタを用いた液晶表示装置（ＴＦＴ−ＬＣＤ）は、カラーＣＲＴに迫る表示性能から、液晶ディスプレイの中で主流となっている。市場の大容量表示への要求に対応して、ＴＦＴ−ＬＣＤは１１. ３型クラスから１２. １型クラスの製品が開発されている。ノート型パーソナルコンピュータに用いられるＴＦＴ−ＬＣＤではＡ４サイズが要求されており、Ａ４サイズで１２. １型クラスの製品を開発する必要がある。そのためには、限られた面積で画素面積を増やすことが必要であり、入力端子等の周辺部分の面積をできる限り縮小し、周辺端子が占める額縁部分の面積を狭くする必要がある。しかし、その一方で画面の大型化とともに高精細化も必要とされ、画素数および端子数が増加するために、その占める面積も大きくなる。
【０００３】
図４は、従来の液晶表示装置のマトリクス基板等価回路図である。図において、１は走査線であるゲート配線、２は信号線であるソース配線、３はスイッチング素子である薄膜トランジスタ（以下ＴＦＴと称す）、４、５は画素部に外部信号を入力する端子部であり、それぞれ走査線用入力パッド、信号線用入力パッドである。マトリクス基板内では、複数本の走査線であるゲート配線１に直交して複数本の信号線であるソース配線２が配置されており、その交点位置にＴＦＴ３が設けられている。ゲート配線１およびソース配線２は、それぞれ独立に引き出し線が設けられており、その引き出し線の終端部に走査線用入力パッド４および信号線用入力パッド５が設けられている。
また、図５−ａは、従来の液晶表示装置に用いられる駆動ＩＣが装着されたフィルムを示す平面図、ｂはフィルムに装着された駆動ＩＣが実装されたＴＦＴアレイ基板を示す断面図である。図において６はＴＦＴアレイが形成されたガラス基板、１４はフィルム状半導体搭載装置（以下フィルムと略す）、１５はゲート配線用駆動ＩＣ、１７はフィルム上の引き回し配線を示す。図に示すように、従来の液晶表示装置では、スイッチング素子であるＴＦＴ３を駆動させるために、ゲート配線用駆動ＩＣ１５を装着したフィルム１４を用いてアレイ基板上の周辺領域の一辺に設けられた走査線用入力パッド４に貼り付けていた。また、ソース配線用駆動ＩＣも、ゲート配線用駆動ＩＣ１５と同様に、フィルム１４に装着され、アレイ基板上の周辺領域の他の一辺に設けられた信号線用入力パッド５に貼り付けていた。
【０００４】
【発明が解決しようとする課題】
以上のように、従来の液晶表示装置では、高精細化に伴う端子数の増加に対応し、且つ表示部分の大面積化を実現するために周辺領域すなわち端子部分の面積を縮小することが課題とされている。しかし、従来のようにゲート配線１とソース配線２が直交する構成では、走査線用入力パッド４および信号線用入力パッド５を液晶パネルの２辺に設ける必要があり、駆動ＩＣを装着する外付けフィルム１４もまた液晶パネルの２辺にわたって実装されるため、周辺領域の面積縮小が困難であった。ａ−Ｓｉ型に代わるＴＦＴ−ＬＣＤとして開発が進められているｐ−Ｓｉ型を使用したＴＦＴアレイプロセスでは、トランジスタの移動度がａ−Ｓｉ型アレイプロセスよりも２〜３桁大きいので、スイッチング素子を駆動させる回路をＴＦＴアレイと同一基板上の周辺部に設けることが可能であるが、プロセスコスト、歩留まりの問題があり、大型のＴＦＴーＬＣＤでは実現されていない。
【０００５】
本発明は、上記のような問題点を解消するためになされたもので、表示面積を確保しながら周辺領域すなわち端子部分の面積を縮小し、高精細化、大面積化に伴う端子数の増加に対応可能な液晶表示装置を提供することを目的とする。
【０００６】
【課題を解決するための手段】
この発明に係わる液晶表示装置は、透明絶縁性基板上にゲート配線とソース配線をそれぞれ複数本交差させ、その各交点に設けられた薄膜トランジスタに接続された透明電極によって画像表示部を構成する画素部と、画素部に外部信号を入力する端子部とを有するＴＦＴアレイ基板と、透明電極およびカラーフィルタ等を有し、ＴＦＴアレイ基板との間に液晶を挟持する対向電極基板と、フィルム状半導体搭載装置に装着され、ＴＦＴアレイ基板の端子部に接続されるゲート配線用駆動ＩＣおよびソース配線用駆動ＩＣを備えた液晶表示装置であって、ソース配線は、ゲート配線との交点でソース配線用引き込み配線に接続され、この引き込み配線は、ゲート配線の上部に絶縁膜を介してゲート配線と平行に重ねて配置されており、引き込み配線の終端部と接続されるソース配線用端子を、ゲート配線の終端部と接続されるゲート配線用端子と同一方向にそれぞれ交互に並置したものである。
また、ゲート配線用駆動ＩＣおよびソース配線用駆動ＩＣを、フィルム状半導体搭載装置の両面に装着したものである。
【０００７】
また、透明絶縁性基板上にゲート配線とソース配線をそれぞれ複数本差させ、その各交点に設けられた薄膜トランジスタに接続された透明電極によって画像表示部を構成する画素部と、画素部に外部信号を入力する端子部とを有するＴＦＴアレイ基板と、透明電極およびカラーフィルタ等を有し、ＴＦＴアレイ基板との間に液晶を挟持する対向電極基板と、フィルム状半導体搭載装置に装着され、ＴＦＴアレイ基板の端子部に接続されるゲート配線用駆動ＩＣおよびソース配線用駆動ＩＣを備えた液晶表示装置であって、ゲート配線は、ソース配線との交点でゲート配線用引き込み配線に接続され、この引き込み配線は、ソース配線の下部に絶縁膜を介してソース配線と平行に重ねて配置されており、引き込み配線の終端部と接続されるゲート配線用端子を、ソース配線の終端部と接続されるソース配線用端子と同一方向に交互それぞれに並置したものである。
さらに、ゲート配線用駆動ＩＣおよびソース配線用駆動ＩＣを、フィルム状半導体搭載装置の両面に装着したものである。
【０００８】
また、透明絶縁性基板上にゲート配線とソース配線をそれぞれ複数本交差させ、その各交点に設けられた薄膜トランジスタに接続された透明電極によって画像表示部を構成する画素部と、画素部に外部信号を入力する端子部とを有するＴＦＴアレイ基板、透明電極およびカラーフィルタ等を有し、ＴＦＴアレイ基板との間に液晶を挟持する対向電極基板、ＴＦＴアレイ基板の端子部に接続されるゲート配線用駆動ＩＣおよびソース配線用駆動ＩＣを備えた液晶表示装置であって、ソース配線は、ゲート配線との交点でソース配線用引き込み配線に接続され、この引き込み配線は、ゲート配線の上部に絶縁膜を介してゲート配線と平行に重ねて配置されており、引き込み配線の終端部と接続されるソース配線用端子を、ゲート配線の終端部と接続されるゲート配線用端子と同一方向にそれぞれ交互に並置したものである。
また、透明絶縁性基板上にゲート配線とソース配線をそれぞれ複数本交差させ、その各交点に設けられた薄膜トランジスタに接続された透明電極によって画像表示部を構成する画素部と、画素部に外部信号を入力する端子部とを有するＴＦＴアレイ基板、透明電極およびカラーフィルタ等を有し、ＴＦＴアレイ基板との間に液晶を挟持する対向電極基板、ＴＦＴアレイ基板の端子部に接続されるゲート配線用駆動ＩＣおよびソース配線用駆動ＩＣを備えた液晶表示装置であって、ゲート配線は、ソース配線との交点でゲート配線用引き込み配線に接続され、この引き込み配線は、ソース配線の下部に絶縁膜を介してソース配線と平行に重ねて配置されており、引き込み配線の終端部と接続されるゲート配線用端子を、ソース配線の終端部と接続されるソース配線用端子と同一方向にそれぞれ交互に並置したものである。
【０００９】
【発明の実施の形態】
実施の形態１．
以下に、本発明の実施の形態１である液晶表示装置を図について説明する。図１は、本発明の実施の形態１である液晶表示装置のマトリクス基板等価回路図である。図において、１ａ、１ｂ、１ｃ、１ｄは走査線であるゲート配線、２ａ、２ｂ、２ｃ、２ｄは信号線であるソース配線、２２ａ、２２ｂ、２２ｃ、２２ｄはソース配線用引き込み配線、３はスイッチング素子である薄膜トランジスタ（以下ＴＦＴと称す）、４、５は画素部に外部信号を入力する端子部であり、それぞれ走査線用入力パッド、信号線用入力パッドである。また、図中Ａ、Ｂ、Ｃ、Ｄはゲート配線１ａ、１ｂ、１ｃ、１ｄとソース配線２ａ、２ｂ、２ｃ、２ｄの各交点をそれぞれ示す。マトリクス基板内では、複数本の走査線であるゲート配線１ａ、１ｂ、１ｃ、１ｄに直交して複数本の信号線であるソース配線２ａ、２ｂ、２ｃ、２ｄが配置され、その交点位置にスイッチング素子であるＴＦＴ３が設けられている。
【００１０】
図２は、スイッチング素子であるＴＦＴ３の断面構造を示した図である。図において、６はガラス基板、７はゲート電極、８はゲート絶縁膜、９はａ−Ｓｉ膜、１０はｎ型ａ−Ｓｉ膜、１１はソース電極、１２はドレイン電極、１３は保護膜をそれぞれ示す。ＴＦＴ３の製法は、まずガラス基板６上にＣｒ等の第１層の導電層であるゲート電極７を成膜する。次に、ゲート絶縁膜８、ａ−Ｓｉ膜９を堆積、エッチングしてＡｌ等の第２の導電層であるソース電極１１およびドレイン電極１２を配置する。最後に保護絶縁膜１３を堆積してＴＦＴが完成する。
【００１１】
図３−ａは、本実施の形態による液晶表示装置に用いられる駆動ＩＣが装着されたフィルムを示す平面図、図３−ｂはフィルムに装着された駆動ＩＣが実装されたＴＦＴアレイ基板を示す断面図である。図において、１４はフィルム状半導体搭載装置（以下、フィルムと略す）、１５はゲート配線用駆動ＩＣ、１６はソース配線用駆動ＩＣ、１７はフィルム上の引き回し配線を示す。フィルム１４は、表面にゲート配線、裏面にソース配線の引き回し配線１７が設けられ、ゲート配線用駆動ＩＣ１５を表面に、ソース配線用駆動ＩＣ１６を裏面に装着する。なお、表面と裏面に装着する駆動ＩＣは、上記の逆の組み合わせでも良い。このように、フィルム１４の両面に駆動ＩＣを装着することにより、外付けのフィルム数を減らすことが可能となる。
【００１２】
本実施の形態による液晶表示装置では、スイッチング素子であるＴＦＴ３のソース電極１１は、それぞれソース配線と連結しており、ソース配線２ａは、ゲート配線１ａとの交点Ａで、ソース配線用引き込み配線２２ａに接続される。ソース配線用引き込み配線２２ａは、ゲート配線１ａの上部に絶縁膜を介して平行に配置される。順次、同様にソース配線２ｂは、ゲート配線１ｂとの交点Ｂで、ソース配線用引き込み配線２２ｂに接続され、ソース配線用引き込み配線２２ｂは、ゲート配線１ｂの上部に絶縁膜を介して平行に配置される。ゲート配線１ａ、１ｂ、１ｃ、１ｄおよびソース配線用引き込み配線２２ａ、２２ｂ、２２ｃ、２２ｄは、画素外部で同一方向に、それぞれ交互に並置された走査線用入力パッド４および信号線用入力パッド５と接続される。以上のように、本実施の形態によれば、ゲート信号およびソース信号は画素部の一辺に配置された走査線用入力パッド４および信号線用入力パッド５から入力されるため、それらが画素部の２辺を占有していた従来の液晶表示装置に比べ、周辺領域の面積の縮小化が図られる。
【００１３】
なお、本実施の形態では、ソース配線用引き込み配線をゲート配線の上部に絶縁膜を介して平行に配置したが、ソース配線用引き込み配線の代わりに、ゲート配線用引き込み配線をソース配線に平行に配置しても良く、同様の効果が得られる。その場合のゲート配線用引き込み配線は、ソース配線の下部に絶縁膜を介して配置すればよい。
【００１４】
【発明の効果】
以上のように、この発明によれば、ソース配線の引き込み配線をゲート配線と平行に配置し、ソース配線用端子をゲート配線用端子と同一方向に並置したので、表示面積を確保しながら周辺領域すなわち端子部分の面積を縮小することができ、高精細化、大面積化に伴う端子数の増加に対応可能な液晶表示装置が得られる効果がある。
【００１５】
また、ソース配線の引き込み配線は、ゲート配線の上部に絶縁膜を介して配置されているので、開口率を低下させることなく、良好な表示特性の液晶表示装置が得られる。
【００１６】
さらに、ゲート配線用駆動ＩＣおよびソース配線用駆動ＩＣを、フィルム状半導体搭載装置の両面に装着するようにしたので、外付けのフィルム数を減らすことができ、部品点数の減少により周辺領域の面積を縮小することが可能である。
【図面の簡単な説明】
【図１】  この発明の実施の形態１である液晶表示装置のマトリクス基板等価回路図である。
【図２】  スイッチング素子であるＴＦＴの構造を示す断面図である。
【図３】  ａは、この発明の実施の形態１である液晶表示装置に用いられる駆動ＩＣが装着されたフィルムを示す平面図、ｂはフィルムに装着された駆動ＩＣが実装されたＴＦＴアレイ基板を示す断面図である。
【図４】  従来の液晶表示装置のマトリクス基板等価回路図である。
【図５】  ａは、従来の液晶表示装置に用いられる駆動ＩＣが装着されたフィルムを示す平面図、ｂはフィルムに装着された駆動ＩＣが実装されたＴＦＴアレイ基板を示す断面図である。
【符号の説明】
１、１ａ、１ｂ、１ｃ、１ｄ  ゲート配線、
２、２ａ、２ｂ、２ｃ、２ｄ  ソース配線、
２２ａ、２２ｂ、２２ｃ、２２ｄ  ソース配線用引き込み配線、
３  薄膜トランジスタ（ＴＦＴ）、４  走査線用入力パッド、
５  信号線用入力パッド、６  ガラス基板、７  ゲート電極、
８  ゲート絶縁膜、９  ａ−Ｓｉ膜、１０  ｎ型ａ−Ｓｉ膜、
１１  ソース電極、１２  ドレイン電極、１３  保護膜、
１４  フィルム状半導体搭載装置、１５  ゲート配線用駆動ＩＣ、
１６  ソース配線用駆動ＩＣ、１７  フィルム上の引き回し配線。
【図１】
0003645667.tif 000002
【図２】
0003645667.tif 000003
【図３】
0003645667.tif 000004
【図４】
0003645667.tif 000005
【図５】
0003645667.tif 000006